(57)【要約】【課題】カバーの外形が外周面から張り出す凸状部による拡大が抑制されたコンタクト構造及びコネクタを提供する。【解決手段】後方でシールド電線に電気的に接続する接続部３２を有する軸方向に延びる導電性のコンタクト３０と、この接続部３２の周囲を覆う非導電性のカバー１０と、コンタクト３０の周囲を覆う導電性のシールドシェル５０と、を備えるコンタクト構造５であって、非導電性のカバー１０は軸方向に沿った分割面で組み合わせ可能に分割され、分割面は周面が面一で連なるように一方の分割縁部から上重ね部１１１が延出し、他方の分割縁部からは上重ね部１１１の下に重なり合う下重ね部１１３が延出する。下重ね部１１３には係合凸部１１４が備わり、上重ね部１１１には係合凸部１１４に係合可能な係合穴１１２が備わる。【選択図】図１
2016126821.tif 000002
【特許請求の範囲】
【請求項１】
後方でシールド電線に電気的に接続する接続部を有する軸方向に延びる導電性のコンタクトと、この接続部の周囲を覆う非導電性のカバーと、前記コンタクトの周囲を覆う導電性のシールドシェルと、を備えるコンタクト構造であって、前記非導電性のカバーは軸方向に沿った分割面で組み合わせ可能に分割され、前記分割面は周面が面一で連なるように一方の分割面を含む分割縁部が他方の分割面を含む分割縁部の下に潜り重なり合うところに特徴を有するコンタクト構造。
【請求項２】
前記一方の分割面を含む分割縁部または前記他方の分割面を含む分割縁部には凸部が備わり、前記他方の分割面を含む分割縁部または前記一方の分割面を含む分割縁部には前記凸部に係合可能な穴部あるいは凹部が備わるところに特徴を有する請求項１記載のコンタクト構造。
【請求項３】
前記分割が２分割であるところに特徴を有する請求項１又は２記載のコンタクト構造。
【請求項４】
前記一方の分割縁部および前記他方の分割縁部のうち少なくとも一つの分割縁部のうち一部が周方向に延出し、対応する分割縁部に重なり合うところに特徴を有する請求項１から３のうち一項記載のコンタクト構造。
【請求項５】
前記カバーは軸方向の端部で前記コンタクトの周面に周接可能な所定の幅を有する縮径部を備え、前記カバーは前記縮径部に少なくとも１箇所内向きの凸部を備え、前記コンタクトはこの凸部に対応する位置に穴部を備えるところに特徴を有する請求項１から４のうち一項記載のコンタクト構造。
【請求項６】
請求項１から５のうち一項記載のコンタクト構造が非導電性のハウジングに組み込まれたコネクタ。
【発明の詳細な説明】
【技術分野】
【０００１】
本発明は、コンタクトが合成樹脂製のカバーで覆われたコンタクト構造及びコネクタに関する。
【背景技術】
【０００２】
電線とコンタクトとの接続部を保護する合成樹脂製のカバーを備える技術として特許文献１記載の技術が知られている。この技術によれば、電線を保護するカバーは筒状を半割にした半割りカバーの組み合わせから成る分割構造で、同じ形状の半割りカバーを組み合わせて一体形状のカバーを完成させることができる。
【０００３】
これにより、カバーを組み付けるために必要な準備するべき部品は半割りカバーの１種類だけでよく、金型もそれに対応する１形状を備えればよい。また組み付けにおいても、同じ部品同士を組み付けるので、雌雄を区別することによる手間を省くことができ作業性の向上が図られる、というものである。
【０００４】
しかし、このカバーの半割り構造において、半割りカバー同士の組み付けは、外周面から凸状に張り出すように外周面上に取り付けられた係合部と、同じく外周面上に取り付けられた受け部との係合によってなされるものであり、外周面上に係合構造（受け部構造）が備わる。これにより、半割りカバー同士を組み合わせ一つのカバーを組み付けたときには外形が拡大されることとなる。
【先行技術文献】
【特許文献】
【０００５】
【特許文献１】特開平１０−２７６４５号公報
【発明の概要】
【発明が解決しようとする課題】
【０００６】
本発明は上記事情に鑑みてなされたものであって、電線とコンタクトとの接続部を保護するカバーを分割カバーの組み合わせ構造としつつ、分割カバーの組み合わせ後の一体化されたカバーの外形が外周面から張り出す凸状部による拡大が抑制されたコンタクト構造、及びコネクタを提供することを目的とするものである。
【課題を解決するための手段】
【０００７】
本発明のコンタクト構造は、（１）後方でシールド電線に電気的に接続する接続部を有する軸方向に延びる導電性のコンタクトと、この接続部の周囲を覆う非導電性のカバーと、前記コンタクトの周囲を覆う導電性のシールドシェルと、を備えるコンタクト構造であって、前記非導電性のカバーは軸方向に沿った分割面で組み合わせ可能に分割され、前記分割面は周面が面一で連なるように一方の分割面を含む分割縁部のうち少なくとも一部が他方の分割面を含む分割縁部のうち少なくとも一部の下に潜り重なり合うところに特徴を有するものである。
【０００８】
この発明によれば、一方の分割面を含む分割縁部のうち少なくとも一部は他方の分割面を含む分割縁部のうち少なくとも一部の下に潜り込む。これにより、周面が面一になるように分割面を組み合わせることができるので、２つの分割カバーを組み合わせた後の一つになったカバーの外形が外周面から張り出す凸状部による拡大が生じないコンタクト構造が得られる。
分割縁部は、一方の分割縁部全体が他方の分割縁部全体の下に潜る態様であってよく、
あるいは、一方の分割縁部の一部が他方の分割縁部の一部の下に潜る態様であってもよい。また、組み合わされる分割カバー毎に重なり合う分割縁部の雌雄一対となる構造を分割縁部のそれぞれに備えている態様であってよく、あるいは、雌雄同一構造の分割縁部を備えている態様であってもよい。
【０００９】
カバーの分割に制限はなく、分割が２つの場合であってよく、３つ以上の場合であってもよい。また分割された各分割カバーは同じ形状のものから成る場合であってよく、あるいは、それぞれ異なる形状のものからなる場合であってもよい。同じ形状のものから成る場合は、カバーを構成する部品は分割カバーの１点でよく、金型もそれに対応する１形状を準備すれば足りる。
【００１０】
好ましくは、本発明のコンタクト構造は、（２）前記一方の分割面を含む分割縁部または前記他方の分割面を含む分割縁部には凸部が備わり、前記他方の分割面を含む分割縁部または前記一方の分割面を含む分割縁部には前記凸部に係合可能な穴部あるいは凹部が備わるところに特徴を有する（１）記載のものである。
【００１１】
この発明によれば、一方の分割縁部に備わる凸部と他方の分割縁部に備わる穴部あるいは凹部とが係合することで分割面同士が面一に組み合わされた状態が固定されるものである。１つの分割カバーは凸部と穴部あるいは凸部と凹部からなる１対の係合構造を分割縁部それぞれに備えるものであってよく、あるいは、同じ形状の係合構造を分割縁部それぞれに備えるものであってもよい。１つの分割カバーが１対の係合構造を分割縁部それぞれに備えるものである場合は、同じ形状の分割カバーの組み合わせから一つのカバーが組み付けられることとなる。
【００１２】
好ましくは、本発明のコンタクト構造は、（３）前記分割が２分割であるところに特徴を有する（１）又は（２）記載のものである。
【００１３】
この発明によれば、非導電性のカバーは２分割された分割カバーの組み合わせで構成される。これにより、分割カバーは一方の分割縁部には凸部を備え、他方の分割縁部には穴部あるいは凹部を備えるものである場合、カバーは同一形状の分割カバーの１回だけの組み合わせで組み立てられることとなる。
【００１４】
好ましくは、本発明のコンタクト構造は、（４）前記一方の分割縁部および前記他方の分割縁部のうち少なくとも一つの分割縁部のうち一部が周方向に延出し、対応する分割縁部に重なり合うところに特徴を有する（１）から（３）のうち一項記載のものである。
【００１５】
この発明によれば、一方の分割縁部のうち一部が周方向に延出し、他方の分割縁部の対応する部分が周方向に延出することで、分割カバー同士が組み合わされたとき、一方の延出部が他方の延出部の下に潜り重なり合う。または、一方の分割縁部のうち一部が周方向に延出し、この延出部分が他方の分割縁部の下に潜り重なり合う。
【００１６】
好ましくは、本発明のコンタクト構造は、（５）前記カバーは軸方向の端部で前記コンタクトの周面に周接可能な所定の幅を有する縮径部を備え、前記カバーは前記縮径部に少なくとも１箇所内向きの凸部を備え、前記コンタクトはこの凸部に対応する位置に穴部を備えるところに特徴を有する（１）から（４）のうち一項記載のものである。
【００１７】
この発明によれば、分割カバーの縮径部に備わる凸部がコンタクト周面に形成された穴部に嵌り込むことによってカバーはコンタクトの所定の位置に固定されることとなる。
【００１８】
好ましくは、本発明のコネクタは、（６）上記（１）から（５）のうち一項記載のコン
タクト構造が非導電性のハウジングに組み込まれたものである。
【００１９】
この発明によれば、上記（１）から（５）に記載されたコンタクト構造が組み込まれた電線コネクタが得られる。カバーの外形の拡大が抑制されているので、ハウジングの外形の拡大も抑制されることとなる。
【図面の簡単な説明】
【００２０】
【図１】図１は、本発明の実施形態に係るコンタクト構造を示す外観斜視図である。
【図２】図２は、同コンタクト構造のカバーが分割された状態を示す外観斜視図である。
【図３】図３は、同コンタクト構造のカバーの外観斜視図である。
【図４】図４は、同コンタクト構造のカバーの６面図であって、（１）は正面図、（２）は上面図、（３）は後面図、（４）は底面図、（５）は左側面図、（６）は右側面図である。
【図５】図５は、同コンタクト構造のカバーの組み合わせ過程を示す図であって、（１）は組み合わせ前、（２）は組み合わせ後を示す図である。
【図６】図６は、図１に示すＶＩ−ＶＩ線に沿って切断したコンタクト構造の断面図である。
【図７】図７は、図１に示すＶＩＩ−ＶＩＩ線に沿って切断したコンタクト構造の断面図である。
【図８】図８は、本発明の実施形態に係るコンタクト構造の周囲にシールドシェルが装着された状態の外観斜視図である。
【図９】図９は、図８に示すＩＸ−ＩＸ線に沿って切断したコネクタ構造の断面図である。
【図１０】図１０は、本発明の第２実施形態に係るコンタクト構造の軸方向に直交する方向に切断した断面図である。
【図１１】図１１は、本発明の第３実施形態に係るコンタクト構造の軸方向に直交する方向に切断した断面図である。
【発明を実施するための形態】
【００２１】
本発明の実施形態を添付図面にしたがって説明するが、本発明の技術的範囲は、これらの実施形態によって限定的に解釈されるものではなく、発明の要旨を大きく逸脱しない範囲で実施することができる。図１は、本発明の実施形態に係るコンタクト構造を示す外観斜視図である。図２は、同コンタクト構造のカバーが分割された状態を示す外観斜視図である。図３は、同コンタクト構造のカバーの外観斜視図である。図４は、同コンタクト構造のカバーの６面図であって、（１）は正面図、（２）は上面図、（３）は後面図、（４）は底面図、（５）は左側面図、（６）は右側面図である。図５は、同コンタクト構造のカバーの組み合わせ過程を示す図であって、（１）は組み合わせ前、（２）は組み合わせ後を示す図である。なお説明中の指示方向は、図中に示される方向定義に従う。
【００２２】
〈コンタクト構造〉  本実施形態に係るコンタクト構造５は、図１、図２に示されるように、後端側で電線Ｗに接続する導電性のコンタクト３０と、電線Ｗとコンタクト３０との接続部を所定の長さに亘って環状に覆う非導電性のカバー１０とを有している。コンタクト３０は前後方向に軸状に延び、その後端の軸線上に電線Ｗが接続されている。カバー１０は外観たる型で、軸方向に沿った２つの分割面で分割カバー１０ａ単位に等しく２分割されている。
【００２３】
導電性のコンタクト３０は、銅合金の圧延材料からなり、所定の加工工程を経た後に図２に示されるような形が得られる。コンタクト３０は、図示しない相手コンタクトと電気的に接続するための円形筒形の本体３１と、その後方に電線Ｗと電気的に接続するためのかしめ機構からなる接続部３２とを一体的に備えている。
【００２４】
コンタクト３０の本体３１は、図２に示されるように、展開形状方形の圧延材料の対向する端面同士が突き合わされるように両辺を巻きつけ、端面同士を合わせて円形筒状に成形したのである。円形筒状の本体３１後方寄りの位置に矩形の係止孔３１ａが形成されている。係止孔３１ａはカバー１０を係止固定するための穴で本体３１表面の１８０度反転位置に一対形成されている。
【００２５】
コンタクト３０の接続部３２は、図２に示されるように、電線Ｗの中心にある導電性の芯線に電気的機械的に接続する。芯線の接続方式は、展開時方形の圧延材料の中央部に置かれた芯線を包むように両側から巻き込み最後にかしめて固定する、圧着方式である。
【００２６】
〈カバー〉  本実施形態に係るカバー１０は、図３、図４に示されるように、合成樹脂製の非導電性材料の射出成形によって得られる外観たる状の中空体である。カバー１０は軸方向に沿った２つの分割面で２分割され、２つの分割カバー１０ａの組み合わせで一つのカバー１０が組み付けられる。カバー１０の分割は等しく２分割で、形状、構造とも分割カバー１０ａは１種類のみで足りる。組み合わせ姿勢は、軸線に沿った１８０度反転の位置で互いに内側を対向させた姿勢である。
【００２７】
分割カバー１０ａは、図３に示されるように、半割り筒状体からなり前後両端で縮径するように端部が絞られている。分割カバー１０ａは、周面方向に延びる周壁１１、周壁１１の前方を区切る前壁１２、周壁１１の後方を区切る後壁１３からなる。
【００２８】
分割面１１０は、図３に示されるように、同一平面を構成し、２つの分割カバー１０ａが組み合わされる時、対応する分割カバー１０ａの分割面は平行に重なり合う。分割カバー１０ａの前壁１２には、前孔１２ａの半円部分が形成されている。前孔１２ａの大きさは、２つの分割カバー１０ａの組み合わせ時、間に挟むコンタクト本体３１の直径に対応している。前孔１２ａ周囲の前孔壁１２ａａには、中央部に内向きに突出する係止凸部１２１が形成されている。係止凸部１２１は、組み立て時、対応するコンタクト３０を係止固定するためのものである。
【００２９】
分割カバー１０ａの後壁１３には、図３に示されるように、後孔１３ａの半円部分が形成されている。後孔１３ａの大きさは、２つの分割カバー１０ａの組み合わせ時、間に挟む電線Ｗの直径に対応するように、後孔壁１３ａａで形成されている。分割カバー１０ａは、周壁１１の外周面に沿って周方向に突出する上重ね部１１１を一方の分割縁部に備え、他方の分割縁部には、２つの分割カバー１０ａの組み合わせ時、上重ね部１１１の下側に重ね合わされる下重ね部１１３を備える。
【００３０】
上重ね部１１１は、図３、図４に示されるように、周壁１１の外周面にほぼ沿うようにして分割縁部から板状に延出する。上重ね部１１１は、先端にテーパーが形成され、中央に四角形の係合穴１１２が穿たれている。上重ね部１１１の上面は、２つの分割カバー１０ａの組み合わせ時、周壁１１の外周面の一部を構成する。上重ね部１１１の下面は、周壁１１の内周面から連なる。上重ね部１１１は、先端下面及び左右側面先端に対応する下重ね部１１３を案内容易なようにテーパーが形成されている。
【００３１】
下重ね部１１３は、図３、図４に示されるように、上重ね部１１１の下面に上面が重ね合わされるように周壁１１の分割縁部から周方向に突出する。下重ね部１１３は、分割縁部の一部が周壁１１の厚み相当分内側へ沈んだ状態で分割面から接線方向に延出している。下重ね部１１３は、上面中央に外向きに突出する係合凸部を備えている。係合凸部は、２つの分割カバー１０ａの組み合わせ時、上重ね部１１１の係合穴１１２に係合し、重ね合わせ部を固定する。下重ね部１１３は、周壁１１との左右の段差部にガイド壁１１６を
備える。ガイド壁１１６は、分割カバー１０ａの組み合わせ時、上重ね部１１１を係合位置に案内する。分割カバー１０ａの内周面には、図４に示されるように、前壁から後壁に亘って連なる台状のコンタクト支持台１１５が備わる。
【００３２】
〈カバーの組み合わせ〉  カバーの組み合わせを図面にしたがって説明する。図５は、本発明の実施形態に係るコンタクト構造のカバーの組み合わせ過程を示す図であって、（１）は組み合わせ前、（２）は組み合わせ後を示す図である。図６は、図１に示すＶＩ−ＶＩ線に沿って切断したコンタクト構造の断面図である。図７は、図１に示すＶＩＩ−ＶＩＩ線に沿って切断したコンタクト構造の断面図である。
【００３３】
カバー１０の組み合わせは、図５に示されるように、内面同士が向かい合う姿勢で２個の分割カバー１０ａを対向させると、軸線に対して１８０度反転位置にある２箇所で、一方の分割カバー１０ａの上重ね部１１１が他方の分割カバー１０ａの下重ね部１１３に向かい合う。上重ね部１１１は、先端下面及び左右側面先端に案内容易なようにテーパーが形成されている。軸線に対して１８０度反転位置にある２箇所で、一方の上重ね部１１１が他方の下重ね部１１３の上に位置する姿勢で組み合わされ、テーパーの誘いに沿うように、２つの分割カバー１０ａ同士は一体化される。このとき、一方の上重ね部１１１の左右側面のテーパーは、他方の下重ね部１１３の左右に立設するガイド壁１１６に摺接しながら進み、同時に互いの位置を正規組み合わせ位置に導いていく。
【００３４】
正規組み合わせ位置にある２つの分割カバー１０ａは、図５に示されるように、軸線に対して１８０度反転位置にある。一方の下重ね部１１３の上に他方の上重ね部１１１が重ね合わさり、下重ね部１１３の係合凸部１１４が上重ね部１１１の係合穴１１２に嵌り込む。正規組み合わせ位置にある２つの分割カバー１０ａは、軸線に対して１８０度反転位置にある２箇所の下重ね部１１３と上重ね部１１１との重ね合わせ部で、前後方向、及び回転方向の動きが規制される。これにより、組み合わされた２つの分割カバー１０ａは、不用意な力が作用しても大きなずれは生じず、また容易には解けない程度の力で結合している。
【００３５】
正規組み合わせ位置で組み合わされたカバー１０は、図５、図６に示されるように、カバー１０の外周面から外方へ張り出す凸状部を有せず、外周面の拡大が生じる部分はない。
２つの分割カバー１０ａ同士の組み合わせは、図２に示されるように、後端の接続部３２で電線Ｗに接続されたコンタクト３０の接続部３２周辺に組み付けられる。分割カバー１０ａの前壁１２に備わる前孔１２ａがコンタクト本体３１の後端に対応し、後壁１３に備わる後孔１３ａが電線Ｗのシールド部に対応する。２つの分割カバー１０ａ同士が組み合わされて完全な円形が形成される前孔１２ａの直径は、対応するコンタクト本体３１の直径に比べて所定のクリアランスを備えた大きさである。また、後孔１３ａの直径は、対応する電線ｗの直径に比べて所定のクリアランスを備えた大きさである。
【００３６】
２つの分割カバー１０ａ同士が組み合わされた時、図７に示されるように、前孔壁１２ａａに備わる係止凸部１２１がコンタクト本体３１後端に備わる係止孔３１ａに係止する。これにより、カバー１０はコンタクト３０に固定され、回転方向、前後方向の自由な動きが制限されることとなる。
【００３７】
〈シールドシェルの組み付け〉  シールドシェルの組み付けについて図面にしたがって説明する。図８は、本発明の実施形態に係るコンタクト構造の周囲にシールドシェルが装着された状態の外観斜視図である。図９は、図８に示すＩＸ−ＩＸ線に沿って切断したコネクタ構造の断面図である。
【００３８】
シールドシェル５０は、図８に示されるように、銅合金の圧延材料から成形される。シールドシェル５０は、コンタクト３０の周囲を覆う本体５１と、コンタクト３０の後方に位置する電線Ｗのシールド部と電気的に接続する接続部５２とを有する。シールドシェル５０は、図８に示されるように、本体５１の後半部分がカバー１０に巻きつきコンタクト３０に対して同心円状の所定の位置で固定される。シールドシェル５０は、図９に示されるように、シールドシェル５０に形成される係止部５３と、カバー１０の周壁１１に形成される被係止部１１７との係止によってカバー１０に固定される。
【００３９】
シールドシェル本体５１の先端には、図８に示されるように、図示しないハウジングに対する位置決めキー５４が備わる。合成樹脂製の図示しないハウジングに装着されたコンタクト構造５はこの位置決めキー５４によって位置決めされる。また、本体５１先端の周囲には、周方向に等間隔に図示しないハウジングに対する抜け防止のランス５５が備わる。図示しないハウジングに装着されたコンタクト構造５は、このランス５５によって抜け止めされる。シールドシェル５０は、本体５１の後方に位置する接続部５２で非導電性の被覆部が剥がされた電線Ｗのシールド部に電気的に接続する。電気的接続はシールド部を周囲から覆う接続部５２のかしめによっておこなわれる。
【００４０】
シールドシェル５０は、図９に示されるように、コンタクト３０の軸方向に直行する断面中心に対して同心円上に備わり、カバー１０の周壁１１に対して密接に装着されている。カバー１０は、周壁１１の外周面に外向きに張り出す凸状物がないので、シールドシェル５０は大きな隙間を生じることなくカバー１０に密接に装着されうる。
【００４１】
〈本実施形態の効果〉  本実施形態に係るコンタクト構造５及びコネクタ１は、カバー１０が２分割された組み合わせ方式である。これにより、コンタクト３０への組み付けが容易におこなえる。
本実施形態に係るコンタクト構造５及びコネクタ１は、カバー１０が等分に２分割され、雌雄同形状である。これにより、１種類の分割カバー１０ａのみの組み合わせで一つのカバー１０を組み付けることができる。
【００４２】
本実施形態に係るコンタクト構造５及びコネクタ１は、カバー１０が分割カバー１０ａの組み合わせからなる合体構造であって、一方の分割カバー１０ａの分割縁部から延出する下重ね部１１３は、他方の分割カバー１０ａの分割縁部から延出する上重ね部１１１の下に潜り込むようにして重ね合わされ、上重ね部１１１は、カバー１０の外周面から外に張り出す凸状部を有しない。これにより、外形の拡大をともなうことのない分割カバー方式を備えたコンタクト構造５及びコネクタ１が得られる。
【００４３】
本実施形態に係るコンタクト構造５及びコネクタ１は、下重ね部１１３には、係合凸部１１４が備わり、上重ね部１１１には、係合穴１１２が備わる。これにより、外形の拡大をともなうことのない、係合構造を備えたコンタクト構造５及びコネクタ１が得られる。
【００４４】
本実施形態に係るコンタクト構造５及びコネクタ１は、分割カバー１０ａは前孔壁１２ａａに係止凸部１２１を備えるとともに、対応するコンタクト本体３１の後端には、係止孔３１ａが備わる。これにより、コンタクト３０の所定位置にカバー１０が装着されうる。
【００４５】
本実施形態に係るコンタクト構造５及びコネクタ１は、コンタクト３０の周囲にシールドシェル５０が備わる。これにより、高周波帯域の信号伝送の接続部に使用することができるコンタクト構造５及びコネクタ１が得られる。
【００４６】
〈他の実施形態〉  以上、本発明を実施形態に基づいて説明してきたが、本発明は、上
述した実施形態に限定的に解釈されるものではなく、発明思想の範囲内で種々の変更が可能である。他の実施形態について、図面にしたがって説明する。図１０は、本発明の第２実施形態に係るコンタクト構造の軸方向に直交する方向に切断した断面図である。図１１は、本発明の第３実施形態に係るコンタクト構造の軸方向に直交する方向に切断した断面図である。
【００４７】
第２実施形態は、図１０に示されるように、カバー１０１０の軸方向に直交する面の断面形状が矩形状である。カバー１０１０は、２つの分割カバー１０１０ａに等分割され、一方の分割縁部からは、上重ね部１１１１が延出し、他方の分割縁部からは、下重ね部１１１３が延出する。下重ね部１１１３は、上重ね部１１１１の下に潜り込むように重ね合わせられる。これにより、外形が拡大されることなく、係合構造を備えた断面矩形状の分割カバー１０１０ａを備えたコンタクト構造及びコネクタが得られる。
【００４８】
第３実施形態は、図１１に示されるように、カバー２０１０の軸方向に直交する面の断面形状が６角形状である。カバー２０１０は、２つの分割カバー２０１０ａに等分割され、一方の分割縁部からは、上重ね部２１１１が延出し、他方の分割縁部からは、下重ね部２１１３が延出する。下重ね部２１１３は、上重ね部２１１１の下に潜り込むように重ね合わせられる。これにより、外形が拡大されることなく、係合構造を備えた断面矩形状の分割カバー２０１０ａを備えたコンタクト構造及びコネクタが得られる。
このように、実施形態を変更した場合でも概ね上記した効果が得られる。
【符号の説明】
【００４９】
１            コネクタ
５            コンタクト構造
１０          カバー
１０ａ        分割カバー
１１          周壁
１１０        分割面
１１１        上重ね部
１１２        係合穴
１１３        下重ね部
１１４        係合凸部
１１５        コンタクト支持台
１１６        ガイド壁
１２          前壁
１３          後壁
１２ａ        前孔
１３ａ        後孔
１２１        係止凸部
３０          コンタクト
３１          本体
３１ａ        係止孔
３２          接続部
５０          シールドシェル
５１          本体
５２          接続部
５３          係止部
Ｗ            電線
【図１】
2016126821.tif 000003
【図２】
2016126821.tif 000004
【図３】
2016126821.tif 000005
【図４】
2016126821.tif 000006
【図５】
2016126821.tif 000007
【図６】
2016126821.tif 000008
【図７】
2016126821.tif 000009
【図８】
2016126821.tif 000010
【図９】
2016126821.tif 000011
【図１０】
2016126821.tif 000012
【図１１】
2016126821.tif 000013